(57)【要約】【課題】映像信号の輝度が急激に変化する場合において、ユーザに対して不快感を与えることを防止する輝度補正を可能とした映像信号処理装置を提供する。【解決手段】本発明の映像信号処理装置は映像再生手段が再生する映像信号の輝度を周期的に取得して記録部に記録する輝度取得部を備えている。切替検知部により番組本編からコマーシャルへの切替、或いはその逆が検知されると、輝度比較部は、記録部に記録されている切替検知前の輝度と切替検知後の輝度とを読み出して比較する。比較の結果、両輝度の差が所定値を超える場合に、輝度補正部が輝度設定部を用いて映像信号の輝度を所定の範囲内の値に変更する。また、輝度取得部により取得される輝度の所定時間毎の変化量を監視する変化量監視部を備えており、変化量監視部により変化量が所定値を超えることが検知された場合に、輝度補正部を用いて映像信号の輝度の補正を行う。【選択図】図１
2009027550.tif 000002
【特許請求の範囲】
【請求項１】
映像信号を再生する映像再生手段と、
映像信号の輝度を設定する輝度設定手段と、
映像信号に含まれる映像の変化、或いは映像信号に付随する音声信号のステレオ／モノラルの切り替わりにより、コマーシャルを含む映像信号とコマーシャルを含まない映像信号との切替を検知する切替検知手段と、
を備えた映像信号処理装置において、
前記映像再生手段が再生する映像信号の輝度を周期的に取得して記録部に記録する輝度取得手段と、
前記切替検知手段が前記切替を検知した場合に、前記記録部より切替検知前の輝度と切替検知後の輝度とを読み出して両輝度を比較する輝度比較手段と、
前記輝度比較手段により、前記両輝度の差が所定値を超えると判定された場合に、前記輝度設定手段を用いて映像信号の輝度を所定の範囲内に補正する輝度補正手段と、
を備えたことを特徴とする映像信号処理装置。
【請求項２】
前記輝度取得手段により取得される輝度の所定時間毎の変化量を監視する変化量監視手段を備え、
前記変化量監視手段により前記変化量が所定値を超えることが検知された場合に、前記輝度補正手段を用いて映像信号の輝度の補正を行うこと
を特徴とする請求項１に記載の映像信号処理装置。
【請求項３】
バックライトを備える表示装置と、
前記バックライトの調光を行うバックライト調光手段と、
前記切替検知手段により前記切替が検知され、且つ前記輝度比較手段により前記両輝度の差が所定値を超えると判定された場合に、前記バックライト調光手段を用いて前記バックライトの発光量を所定の範囲内に補正する発光量補正手段と、
を備えたことを特徴とする請求項１に記載の映像信号処理装置。
【請求項４】
バックライトを備える表示装置と、
前記バックライトの調光を行うバックライト調光手段と、
前記変化量監視手段により前記変化量が所定値を超えることが検知された場合に、前記バックライト調光手段を用いて前記バックライトの発光量を所定の範囲内に補正する発光量補正手段と、
を備えたことを特徴とする請求項２に記載の映像信号処理装置。
【請求項５】
前記輝度比較手段が、前記切替の検知前に前記輝度取得手段により取得された複数の輝度の平均値と、前記切替の検知後に前記輝度取得手段により取得された複数の輝度の平均値とを算出し、両平均値を用いて輝度差の比較を行うこと
を特徴とする請求項１又は請求項３に記載の映像信号処理装置。
【請求項６】
前記変化量監視手段が、前記輝度取得手段により取得された複数の輝度の平均値を算出し、前記平均値の所定時間毎の変化量を監視すること
を特徴とする請求項２又は請求項４に記載の映像信号処理装置。
【発明の詳細な説明】
【技術分野】
【０００１】
本発明は、映像信号処理装置に関するものであり、特に映像信号の輝度が急激に変化した場合でもユーザに不快感を与えることのない映像信号処理装置に関する。
【背景技術】
【０００２】
近年、デジタル技術の多機能化、多様化により、ＤＶＤ（Digital Versatile Disk）プレーヤやハードディスクレコーダ等の様々な映像信号処理装置が普及している。これらの映像信号処理装置は、テレビジョンや液晶モニタ等の表示装置に映像を出力するが、この映像の輝度が急激に変化してユーザに不快感を与える場合がある。
【０００３】
上記の例としては例えば、録画したテレビ番組の再生中に番組本編からコマーシャルへ移った際の輝度の変化が挙げられる。本編映像の輝度が極端に低く、且つコマーシャル映像の輝度が極端に高い場合に、輝度の低い本編映像に慣れたユーザの目にはコマーシャル映像が眩しく感じられることがある。また、本編映像内でも、フラッシュの点滅や爆発シーンのように、輝度の高い画像と低い画像が連続して切り替わる場合に、ユーザに不快感を与える場合がある。
【０００４】
上記に関連して特許文献１においては、コマーシャル等のユーザが本来見たくない映像が表示されている際に、視覚神経を休ませることを目的としたテレビジョン受像機が開示されている。このテレビジョン受像機は、洋画等の二音声放送からコマーシャル等のモノラル放送又はステレオ放送（つまり二音声放送でない放送）に変わった際に、音量レベル、画面のコントラスト及びそのブライトネスを一段下げる処理を行う。
【０００５】
また上記に関連して特許文献２においては、液晶パネルの明るさを、表示しようとする映像信号に最適な明るさに容易に制御することが可能な液晶テレビジョンが開示されている。この液晶テレビジョンは、輝度値検出手段が受信したテレビジョン放送信号に含まれる映像信号から所定の輝度値を検出する。そして検出された輝度値と所定のしきい値とを比較する。この判別結果に基づき、バックライトの発光輝度を所定の度合いで変化させ、視聴している映像の輝度レベルに合わせた最適な明るさに自動的に調光する。
【特許文献１】実開平５−０７４０８０号公報
【特許文献２】特開２００５−３０８７９２号公報
【発明の開示】
【発明が解決しようとする課題】
【０００６】
しかしながら、上記特許文献１のテレビジョン受像機は、コマーシャルに移った場合に無条件に輝度を下げる補正を行っている。しかしながらコマーシャル映像が必ずしも輝度が高いとは限らないため、輝度の変化に応じた、効率の良い輝度補正処理を行うことはできない。また特許文献２の液晶テレビジョンは、輝度が閾値を超えた場合に輝度補正を行うが、輝度が閾値を超えない範囲においては、輝度の急激な変化には対応することはできない。
【０００７】
本発明は、上記の問題を鑑みてなされたものであり、映像信号処理装置が再生する映像信号の輝度が急激に変化する場合において、ユーザに対して不快感を与えることを防止する輝度補正を可能とした映像信号処理装置を提供することを目的とする。
【課題を解決するための手段】
【０００８】
上記目的を達成するために本発明の映像信号処理装置は、映像信号を再生する映像再生手段と、映像信号の輝度を設定する輝度設定手段と、映像信号に含まれる映像の変化、或いは映像信号に付随する音声信号のステレオ／モノラルの切り替わりにより、コマーシャルを含む映像信号とコマーシャルを含まない映像信号との切替を検知する切替検知手段とを備えた映像信号処理装置において、前記映像再生手段が再生する映像信号の輝度を周期的に取得して記録部に記録する輝度取得手段と、前記切替検知手段が前記切替を検知した場合に、前記記録部より切替検知前の輝度と切替検知後の輝度とを読み出して両輝度を比較する輝度比較手段と、前記輝度比較手段により、前記両輝度の差が所定値を超えると判定された場合に、前記輝度設定手段を用いて映像信号の輝度を所定の範囲内に補正する輝度補正手段とを備えたことを特徴としている。
【０００９】
これによると、本発明の映像信号処理装置は、映像信号を再生する映像再生部（＝映像再生手段）と、映像信号の輝度を設定する輝度設定部（＝輝度設定手段）と、映像信号に含まれる映像の変化、或いは映像信号に付随する音声信号のステレオ／モノラルの切り替わりにより、コマーシャルを含む映像信号とコマーシャルを含まない映像信号との切替を検知する切替検知部（＝切替検知手段）とを備えている。また、映像再生手段が再生する映像信号の輝度を周期的に取得して記録部に記録する輝度取得部（＝輝度取得手段）を備えている。
【００１０】
切替検知部により番組本編からコマーシャルへの切替、或いはその逆が検知されると、輝度比較部（＝輝度比較手段）は、記録部に記録されている切替検知前の輝度と切替検知後の輝度とを読み出して比較する。比較の結果、両輝度の差が所定値を超える、例えば輝度を１００段階調整できる装置において５０段階以上の輝度差があると判定された場合等に、輝度補正部（＝輝度補正手段）が輝度設定部を用いて映像信号の輝度を所定の範囲内の値に変更する。これにより、輝度が急激に変化した場合であっても、その変化量を所定の範囲内に抑えることができる。
【００１１】
また、上記目的を達成するために本発明の映像信号処理装置は、前記輝度取得手段により取得される輝度の所定時間毎の変化量を監視する変化量監視手段を備え、前記変化量監視手段により前記変化量が所定値を超えることが検知された場合に、前記輝度補正手段を用いて映像信号の輝度の補正を行うことを特徴としている。
【００１２】
これによると、本発明の映像信号処理装置は、輝度取得部により取得される輝度が時間経過と共に変化する量（＝変化量）を監視する変化量監視部（＝変化量監視手段）を備えている。変化量監視部により、所定時間内における輝度の変化量が所定値を超えたことが検知された場合、輝度補正手段を用いて映像信号の輝度の補正を行う。このため、輝度が急激に変化した場合であっても、その変化量を所定の範囲内に抑えることができる。
【００１３】
また、上記目的を達成するために本発明の映像信号処理装置は、バックライトを備える表示装置と、前記バックライトの調光を行うバックライト調光手段と、前記切替検知手段により前記切替が検知され、且つ前記輝度比較手段により前記両輝度の差が所定値を超えると判定された場合に、前記バックライト調光手段を用いて前記バックライトの発光量を所定の範囲内に補正する発光量補正手段とを備えたことを特徴としている。
【００１４】
これによると、本発明の映像信号処理装置は、バックライトを備える表示装置と、このバックライトの調光を行うバックライト調光部とを備えている。さらに切替検知部により番組本編からコマーシャルへの切替、或いはその逆が検知され、且つ輝度比較部により切替前後の輝度差が所定値を超えると判定された場合に、発光量補正部（＝発光量補正手段）がバックライト調光部（＝バックライト調光手段）を用いてバックライトの発光量を所定の範囲内に変更する。これにより、発光量の急激な変化を伴う調光指示を表示装置が受けた場合であっても、発光量の変化を所定の範囲内に抑えることができる。
【００１５】
また、上記目的を達成するために本発明の映像信号処理装置は、バックライトを備える表示装置と、前記バックライトの調光を行うバックライト調光手段と、前記変化量監視手段により前記変化量が所定値を超えることが検知された場合に、前記バックライト調光手段を用いて前記バックライトの発光量を所定の範囲内に補正する発光量補正手段とを備えたことを特徴としている。
【００１６】
これによると、本発明の映像信号処理装置は、バックライトを備える表示装置と、このバックライトの調光を行うバックライト調光部とを備えている。さらに変化量監視部により、所定時間内における輝度の変化量が所定値を超えたことが検知された場合に、発光量補正部がバックライト調光部を用いてバックライトの発光量を所定の範囲内に変更する。これにより、発光量の急激な変化を伴う調光指示を表示装置が受けた場合であっても、発光量の変化を所定の範囲内に抑えることができる。
【００１７】
また、上記目的を達成するために本発明の映像信号処理装置は、前記輝度比較手段が、前記切替の検知前に前記輝度取得手段により取得された複数の輝度の平均値と、前記切替の検知後に前記輝度取得手段により取得された複数の輝度の平均値とを算出し、両平均値を用いて輝度差の比較を行うことを特徴としている。
【００１８】
これによると、本発明の映像信号処理装置が備える輝度比較部は、輝度取得部を用いて取得した所定数の輝度より、切替検知前の輝度の平均値と切替検知後の輝度の平均値とを算出する。そしてこの両平均値を用いて、輝度の比較を行う。このため、取得した輝度を単体で比較する場合と比べて、より高い精度で輝度差を算出することができる。
【００１９】
また、上記目的を達成するために本発明の映像信号処理装置は、前記変化量監視手段が、前記輝度取得手段により取得された複数の輝度の平均値を算出し、前記平均値の所定時間毎の変化量を監視することを特徴としている。
【００２０】
これによると、本発明の映像信号処理装置が備える変化量監視部は、輝度取得部を用いて取得した所定数の輝度より、予め定められた時間毎の輝度の平均値を算出する。この平均値の変化を監視する。このため、取得した個々の輝度を単体で監視する場合と比べて、より高い精度で輝度の変化を監視することができる。
【発明の効果】
【００２１】
本発明によれば、切替検知部により番組本編からコマーシャルへの切替、或いはその逆が検知されると、輝度比較部が切替検知前の輝度と切替検知後の輝度とを比較する。そして、両輝度の差が所定値以上である場合に、輝度補正部を用いて映像信号の輝度を補正し、輝度の急激な変化を抑える。このため、例えば番組本編からコマーシャルに切り替わった際に輝度が急激に上昇する映像信号を再生する場合であっても、輝度補正によりユーザに眩しさを感じさせることがなく、より快適な視聴環境を提供することができる。また逆に、輝度が急激に減少する場合であっても、輝度補正により暗い画面を視認しやすくすることができる。
【００２２】
また本発明によれば、変化量監視部により、所定時間内における輝度の変化量が所定値を超えたことが検知された場合、輝度補正手段を用いて映像信号の輝度の補正し、その変化量を所定の範囲内に抑える。このため、輝度が急激に上昇する映像信号を再生する場合であっても、輝度補正によりユーザに眩しさを感じさせることがなく、より快適な視聴環境を提供することができる。
【００２３】
また本発明によれば、切替検知部により切替が検知され、且つ輝度比較部により切替前後の輝度差が所定値を超えると判定された場合に、発光量補正部がバックライト調光部を用いてバックライトの発光量を所定の範囲内に変更する。このため、輝度が急激に上昇する映像信号を再生する場合であっても、発光量補正によりユーザに眩しさを感じさせることがなく、より快適な視聴環境を提供することができる。
【００２４】
また本発明によれば、変化量監視部により、所定時間内における輝度の変化量が所定値を超えたことが検知された場合に、発光量補正部がバックライト調光部を用いてバックライトの発光量を所定の範囲内に変更する。このため、輝度が急激に上昇する映像信号を再生する場合であっても、発光量補正によりユーザに眩しさを感じさせることがなく、より快適な視聴環境を提供することができる。
【００２５】
また本発明によれば、輝度比較部が切替検知前の輝度の平均値と切替検知後の輝度の平均値とを算出して比較するため、取得した輝度を単体で比較する場合と比べて、より高い精度で輝度差を算出することができる。このため例えば、ユーザが知覚できない程の短時間だけ輝度が急変化する場合は輝度補正を行わないため、不要な補正処理の実施や誤った補正処理の実施を防ぐことができる。
【００２６】
また本発明によれば、変化量監視部が、予め定められた時間毎の輝度の平均値を算出し、この平均値の変化を監視するため、取得した個々の輝度を単体で監視する場合と比べて、より高い精度で輝度の変化を監視することができる。このため例えば、ユーザが知覚できない程の短時間だけ輝度が急変化する場合は輝度補正を行わないため、不要な補正処理の実施や誤った補正処理の実施を防ぐことができる。
【発明を実施するための最良の形態】
【００２７】
以下に本発明の実施形態を、図面を参照しながら説明する。なお、ここで示す実施形態は一例であり、本発明はここに示す実施形態に限定されるものではない。
【００２８】
［実施の形態１］
〈１−１．内部構成について〉
図２は、本発明の第一の実施形態に係るハードディスクレコーダ１を示す構成図である。なお、図２における矢印線はデータの流れを示している。また、矢印のない直線は、制御部１１が各装置に対する制御信号等を送受信するための通信バスを示している。ハードディスクレコーダ１は少なくとも、制御部１１、メモリ１２（＝記録部）、操作部１３、ＨＤＤ（Hard disk drive）１４、放送受信部１５、外部入力部１６、Ａ／Ｄ変換部１７、信号分離部１８、Ｄ／Ａ変換部１９、音声信号出力部２０、映像再生部２１（＝映像再生手段）、及び映像信号出力部２２を含むように構成されている。
【００２９】
制御部１１は、ハードディスクレコーダ１の各部材の駆動を制御することにより、テレビ放送の受信や、受信したテレビ放送の表示処理等を統括制御するためのものである。制御部１１は例えば、複数のマイクロプロセッサから構成されている。また制御部１１は、各装置の制御やデータの計算、加工処理等を行う中枢部分となっている。なお、制御部１１が備える各機能部（図１の切替検知部１１ａ〜輝度設定部１１ｅ）の詳細については後述する。
【００３０】
メモリ１２は、ハードディスクレコーダ１が保持する各種データを一時的に記録する媒体であり、例えば書込可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００３１】
操作部１３は、ユーザが番組の録画等を行うための各種指示をハードディスクレコーダ１に対して行うためのものである。操作部１３により出力された指示は、制御部１１により受け付けられる。指示を受け付けた制御部１１は、指示の内容に基づいて選局処理や録画処理等を行う。
【００３２】
ＨＤＤ１４は、ハードディスクレコーダ１が保持する録画データ等を記録するための磁気記録媒体である。なお、ＨＤＤ１４は、複数の領域（＝パーティション）に分割されており、記録するデータの種別に応じて領域別に記録することがより望ましい。
【００３３】
放送受信部１５は、外部のアンテナ（不図示）に接続されてデジタル放送、或いはアナログ放送の選局、受信、周波数変換、増幅、復調等を行う。これにより受信した放送信号より、映像信号、或いは音声信号等が得られる。放送受信部１５は、アナログ方式であればアナログチューナ、映像中間周波増幅回路、復調回路、及び増幅回路等を含むように構成されている。またデジタル方式であれば、デジタルチューナ、誤り訂正部、多重分離部等を含むように構成されている。
【００３４】
外部入力部１６は、例えばコンポジット信号を入力するＲＣＡ入力端子やＳ信号を入力するＳ端子等の、複数の外部入力端子からなる入力インタフェースである。外部入力部１６はこれらの外部接続端子を用いて、ハードディスクレコーダ１と外部の記録再生装置、例えばＤＶＤプレーヤやビデオレコーダ等を接続し、映像信号及び音声信号を入力する。
【００３５】
Ａ／Ｄ（Analog／Digital）変換部１７は、放送受信部１５及び外部入力部１６から入力された信号がコンポジット信号等のアナログ信号である場合に、デジタル信号に変換する。なお、入力された信号がデジタル信号である場合は変換を行わず、入力した信号をそのまま次の信号分離部１８に出力する。
【００３６】
信号分離部１８は、Ａ／Ｄ変換部１７より与えられたデジタル信号がＭＰＥＧ２方式等で符号化されている場合に、音声情報を含むデジタル信号と、映像情報を含むデジタル信号とに分離する。このうち音声情報を含むデジタル信号はＤ／Ａ変換部１９に送られてアナログ信号に変換され、音声信号出力部２０により外部装置へ出力される。
【００３７】
また、信号分離部１８により分離された映像情報を含むデジタル信号は、映像再生部２１により復号化が行われ、さらにＮＴＳＣ方式の映像信号に変換される。変換により得られた映像信号は映像信号出力部２２から外部の表示装置に出力される。なおこの際、映像再生部２１は制御部１１から受けた指示に基づいて出力映像の輝度の補正を行う。
【００３８】
〈１−２．機能部の構成について〉
ここで、本発明の第一の実施形態に係るハードディスクレコーダ１が備える輝度補正機能を構成する各機能部の関係を、図１の機能ブロック図を用いながら説明する。
【００３９】
図１に示すように本発明の輝度補正機能は少なくとも、制御部１１が備える切替検知部１１ａ（＝切替検知手段）、輝度取得部１１ｂ（＝輝度取得手段）、輝度比較部１１ｃ（＝輝度比較手段）、輝度補正部１１ｄ（＝輝度補正手段）、及び輝度設定部１１ｅ（＝輝度設定手段）と、メモリ１２と、Ｄ／Ａ変換部１９と、映像再生部２１とにより構成される。
【００４０】
切替検知部１１ａは、Ｄ／Ａ変換部１９で生成された音声信号、及び映像再生部２１により生成された映像信号の内容を解析することにより、テレビ番組や映画の本編映像とコマーシャルとの切り替わりを検知する。具体的には例えば、Ｄ／Ａ変換部１９が生成する音声がステレオ音声からモノラル音声に切り替わった際や、映像再生部２１により生成される映像の内容が変化した場合等に切り替わりが発生したと判定する。なお、切替検知方法の詳細については、従来技術と同内容であるためここでは説明を省略する。切替を検知した場合、切替検知部１１ａは輝度比較部１１ｃに対して、輝度比較処理の実施を指示する。
【００４１】
輝度取得部１１ｂは、映像再生部２１により生成される映像信号の輝度を所定の周期、例えば５０ｍsec毎に取得する。そして、取得した輝度の値と取得時刻とを関連付けた輝度情報を作成し、メモリ１２に記録する。この輝度情報は、輝度比較部１１ｃが輝度を比較する際に参照される。なお、記録された輝度情報は、取得時刻から所定時間が経過した時点で消去されることが望ましい。
【００４２】
輝度比較部１１ｃは、切替検知部１１ａより輝度比較処理の実施指示を与えられた際に、メモリ１２より前述の輝度情報を読み出し、切替検知前の輝度と切替検知後の輝度とを比較する。そして輝度の差が所定値を超える場合に、輝度補正部１１ｄに対して輝度補正の指示を与える。なお、輝度の比較方法としては例えば、切替検知直前の輝度と直後の輝度の二つの輝度を比較する方法であってもよいし、或いは切替検知時刻から前後所定時間内の複数の輝度の平均値を比較する方法であってもよい。
【００４３】
輝度補正部１１ｄは、輝度比較部１１ｃより輝度補正処理の実施指示を与えられた際に、輝度設定部１１ｅを用いて輝度の補正を行う。例えば輝度比較部１１ｃにより輝度の急激な上昇が検知された場合は、予め定められた輝度の上限値まで輝度を低下させる。そして所定時間が経過した後に、輝度の補正を停止し、映像信号の本来の輝度に戻す。また或いは、切替検出時における輝度の変化量の許容値が予め定められたおり、この許容値を超えて変化した場合に許容値だけ輝度の上昇を行い、所定時間経過後に映像信号の本来の輝度まで上昇させる形態であってもよい。
【００４４】
輝度設定部１１ｅは、映像再生部２１に対して、生成する映像信号の輝度を指示する。輝度設定部１１ｅは通常、輝度補正部１１ｄからの指示や、或いはＯＳＤにより表示される設定画面等においてユーザが設定した値等に基づいて輝度の決定を行い、映像再生部２１に対する指示を行う。
【００４５】
〈１−３．輝度補正処理について〉
ここで、本発明の第一の実施形態に係るハードディスクレコーダ１による輝度補正処理を、図１及び図２のブロック図と、図３のフロー図とを用いながら説明する。
【００４６】
図３は、本発明の第一の実施形態に係る輝度補正処理の処理フローを示したフローチャートである。図３に示す本処理は、ハードディスクレコーダ１による映像再生処理の開始を制御部１１が検知することにより開始される。なお映像再生処理の開始は、例えば操作部１３に含まれる再生ボタンが押下された場合等に行われる。
【００４７】
本処理が開始された後、制御部１１はステップＳ１１０において、切替検知部１１ａによるコマーシャル切替の検知と、輝度取得部１１ｂによる輝度の取得とを開始する。そして取得した輝度を、輝度情報としてメモリ１２に記録する。
【００４８】
次に制御部１１はステップＳ１２０において、切替検知部１１により、コマーシャルへの切替が検知されたかどうかの判定を行う。切替が検知されていない場合、再びステップＳ１１０に移行し、切替の検知と輝度の取得を継続して行う。逆に切替が検知された場合、輝度比較部１１ｃがステップＳ１３０において、切替検知前後の輝度の比較を行う。
【００４９】
輝度比較部１１ｃがメモリ１２より読み出した輝度情報を元に切替前後の輝度を比較した結果（ステップＳ１４０）、輝度差が所定値を上回らない場合、後述するステップＳ１８０に移行する。逆に輝度差が所定値を上回る場合、例えばユーザが輝度の急激な上昇による眩しさを感じる程度の輝度差がある場合は、輝度補正部１１ｄはステップＳ１５０において、映像信号の輝度の補正を行う。具体的には、輝度設定部１１ｅを用いて、映像再生部２１が生成する映像信号の輝度の上限を制限する。或いは、所定の期間毎の輝度変化量、例えば輝度取得部１１ｂが輝度取得してから次に輝度取得を行うまでの期間の輝度変化量を、所定の幅に制限する。
【００５０】
次に制御部１１はステップＳ１６０において、切替検知部１１ａが切替を検知してから所定時間が経過したかどうかの判定を行う。所定時間が経過していない場合、再びステップＳ１５０に移行して輝度の補正を継続して行う。逆に所定時間が経過している場合、輝度補正部１１ｄはステップＳ１７０において、輝度の補正を終了する。
【００５１】
次に制御部１１はステップＳ１８０において、映像再生処理の終了指示を検知したかどうかの判定を行う。終了指示は、例えばユーザが再生停止ボタンを押下した場合等に発行される。終了指示を検知した場合、本処理を終了する。逆に終了指示を検知していない場合、再びステップＳ１１０に移行し、上述の輝度補正処理を継続して行う。
【００５２】
［実施の形態２］
〈２−１．内部構成について〉
ここで、本発明の第二の実施形態に係るＨＤＤ内蔵テレビ２の内部構成について、図５のブロック図を用いながら説明する。なお、実施の形態１のハードディスクレコーダ１と同内容の構成要素については、同じ符号番号を付加することにより説明を省略するものとする。
【００５３】
本実施形態のＨＤＤ内蔵テレビ２は、ハードディスクレコーダ１の制御部１１〜映像信号出力部２２に加え、スピーカ２３及びディスプレイ２４を備えている。なお制御部１１〜Ｄ／Ａ変換部１９、及び映像再生部２１については、実施の形態１と同内容であるため説明を省略する。
【００５４】
音声信号出力部２０は、実施の形態１とは異なり外部に音声信号を出力せず、スピーカ２３に対して音声信号を出力する。スピーカ２３は音声信号を音声に変換して出力する。なおこの際、音声信号出力部２０は制御部１１から受けた指示に基づいて出力音量の調整を行う。
【００５５】
映像信号出力部２２は、実施の形態１とは異なり外部に映像信号を出力するのではなく、ディスプレイ２４にＮＴＳＣ方式の映像信号を与えることにより、映像の表示を行う。ディスプレイ２４には、例えばバックライト、液晶パネル、及びドライバ等からなるＬＣＤ（Liquid Crystal Display）モジュールを用いる。バックライトは液晶パネルの裏側に配置されている発光装置である。バックライトは、例えば光源に冷陰極管を用いるエッジライト方式や、蛍光ランプを液晶パネルの背面に並べる直下型方式のものを用いる。このバックライトの光源の発光量は、バックライトアジャスタやインバータ回路により調整される。
【００５６】
〈２−２．機能部の構成について〉
ここで、本発明の第二の実施形態に係るＨＤＤ内蔵テレビ２が備える輝度補正機能を構成する各機能部の関係を、図４の機能ブロック図を用いながら説明する。なお、実施の形態１と同内容の構成要素については、同じ符号番号を付加することにより説明を省略するものとする。
【００５７】
図４に示すように本実施形態の輝度補正機能は少なくとも、実施の形態１の切替検知部１１ａ〜輝度比較部１１ｃ、メモリ１２、Ｄ／Ａ変換部１９、及び映像再生部２１に加え、発光量補正部１１ｆと、バックライト調光部１１ｇと、ディスプレイ２４とにより構成される。
【００５８】
発光量補正部１１ｆは、輝度比較部１１ｃより発光量補正処理の実施指示を与えられた際に、バックライト調光部１１ｇを用いてディスプレイ２４の発光量の補正を行う。例えば輝度比較部１１ｃにより輝度の急激な上昇が検知された場合は、予め定められた発光量の上限値まで発光量を低下させる。
【００５９】
バックライト調光部１１ｇは、切替検知部１１ａがコマーシャルと番組本編との切替を検知し、かつ輝度比較部１１ｃにより切替前後の輝度差が所定値を超えると判定された場合に、発光量補正部１１ｆからの指示を受けて、ディスプレイ２４が備えるバックライトの調光を行う。具体的には例えば、バックライトが備えるバックライトアジャスタやインバータ回路に対して発光量の変更指示信号を送信することにより、調光を行う。
【００６０】
〈２−３．輝度補正処理について〉
ここで、本発明の第二の実施形態に係るＨＤＤ内蔵テレビ２による輝度補正処理を、図４及び図５のブロック図と、図６のフロー図とを用いながら説明する。
【００６１】
図６は、本発明の第二の実施形態に係る輝度補正処理の処理フローを示したフローチャートである。図６に示す本処理は、ディスプレイ２４を用いた映像の表示処理の開始を制御部１１が検知することにより開始される。なお映像表示処理の開始は、例えば操作部１３に含まれる電源ボタンが押下された場合等に行われる。
【００６２】
ステップＳ１１０〜ステップＳ１４０に関しては実施の形態１と同内容であるため、説明を省略する。ステップＳ１４０において、輝度比較部１１ｃにより輝度差が所定値を超えると判定された場合、発光量補正部１１ｆはステップＳ１５１において、バックライト調光部１１ｇを用いてディスプレイ２４のバックライトの調光を行う。
【００６３】
具体的には、バックライト調光部１１ｇが、ディスプレイ２４の備えるバックライトアジャスタやインバータ回路に対して発光量の上限を制限したり、或いは所定の期間毎の発光量の変化量、例えば輝度取得部１１ｂが輝度取得してから次に輝度取得を行うまでの期間の発光量の変化量を、所定の幅に制限したりする。
【００６４】
次に輝度取得部１１ｂはステップＳ１５２において、輝度の取得を複数回行う。そして輝度比較部１１ｃがステップＳ１６１において、取得された複数の輝度の差を比較する。なおここでいう輝度とは、ディスプレイ２４に表示されている映像の輝度（＝補正後の輝度）ではなく、映像再生部２１が出力する映像信号に含まれる輝度情報を示している。
【００６５】
なお、輝度差を比較する具体的な方法としては例えば、輝度取得毎に前回取得時の輝度との輝度差を比較する方法でもよいし、或いは取得された複数の輝度の平均値を一定時間毎に算出して比較する方法でもよい。このようにして比較された輝度の差が所定値を超える場合、再びステップＳ１５１に移行してバックライトの調光と輝度の取得を継続して行う。
【００６６】
逆にステップＳ１６１において輝度差が所定値の範囲内であると判定された場合、発光量補正部１１ｆはステップＳ１７１において、バックライト調光部１１ｇによるバックライト調光を終了する。次に制御部１１はステップＳ１８１において、映像表示処理の終了指示を検知したかどうかの判定を行う。終了指示は、例えばユーザが電源停止ボタンを押下した場合等に発行される。終了指示を検知した場合、本処理を終了する。逆に終了指示を検知していない場合、再びステップＳ１１０に移行し、上述の輝度補正処理を継続して行う。
【００６７】
［実施の形態３］
〈３−１．内部構成について〉
実施の形態１の図２と同内容であるため、説明を省略する。
【００６８】
〈３−２．機能部の構成について〉
ここで、本発明の第３の実施形態に係るハードディスクレコーダ１が備える輝度補正機能を構成する各機能部の関係を、図７の機能ブロック図を用いながら説明する。なお、実施の形態１と同内容の構成要素については、同じ符号番号を付加することにより説明を省略するものとする。
【００６９】
図７に示すように本実施形態の輝度補正機能は少なくとも、実施の形態１の輝度取得部１１ｂ、輝度補正部１１ｄ、輝度設定部１１ｅ、メモリ１２、映像再生部２１に加え、変化量監視部１１ｈにより構成される。
【００７０】
変化量監視部１１ｈは、映像再生部２１による映像再生が行われている間は常に輝度の比較を行う。つまり、輝度取得部１１ｂによりメモリ１２に記録された輝度情報を所定周期、例えば５０msec毎に読み出して時間毎の輝度差を算出する。この輝度差が所定値を超えて変化した場合に、輝度補正部１１ｄに対して輝度の補正を指示する。
【００７１】
〈３−３．輝度補正処理について〉
ここで、本発明の第三の実施形態に係るハードディスクレコーダ１による輝度補正処理を、図７のブロック図と、図８のフロー図とを用いながら説明する。
【００７２】
図８は、本発明の第三の実施形態に係る輝度補正処理の処理フローを示したフローチャートである。図８に示す本処理は、ハードディスクレコーダ１による映像再生処理の開始を制御部１１が検知することにより開始される。なお映像再生処理の開始は、例えば操作部１３に含まれる再生ボタンが押下された場合等に行われる。
【００７３】
本処理が開始された後、制御部１１はステップＳ１１１において、輝度取得部１１ｂによる輝度の取得を開始する。そして取得した輝度を、輝度情報としてメモリ１２に記録する。
【００７４】
次に変化量監視部１１ｈはステップＳ１１２において、所定時間毎の輝度の変化量を監視する。これは例えば、輝度取得部１１ｂが５０msec毎に輝度の取得を行っているとした場合、最新の輝度情報と５０msec前の輝度情報とをメモリ１２より読み出して比較する。また例えば、最新１０個の輝度（＝現在時刻〜５００msec前までに取得された輝度）の平均値と、それ以前の１０個の輝度（＝現在時刻の１０００msec前〜５００msec前までに取得された輝度）の平均値を比較する形態でもよい。また、輝度取得部１１ｂが取得した輝度情報はメモリ１２に記録されず、直接輝度比較部１１ｃに直接与えられる形態であってもよい。
【００７５】
次にステップＳ１１３において、変化量監視部１１ｈにより監視されている輝度変化量が所定値を上回るか上回らないかにより、ステップＳ１５０或いはステップＳ１８０への処理の分岐を行う。なお、ステップＳ１５０〜ステップＳ１８０については、実施の形態１と同内容であるため、ここでは説明を省略する。
【００７６】
［その他の実施の形態］
以上、好ましい実施の形態及び実施例を挙げて本発明を説明したが、本発明は必ずしも上記実施の形態に限定されるものではなく、その技術的思想の範囲内において様々に変形して実施することができる。
【００７７】
従って本発明は、以下の形態にも適用可能である。
（Ａ）本実施形態では、切替検知部１１ａがコマーシャルを検知することにより輝度補正処理を行っているが、切替検知部１１ａがコマーシャルの終了を検知した際にも、上述の輝度補正処理を行う形態であってもよい。これにより、コマーシャルから番組本編への移行時に輝度の変化が激しい場合でも、ユーザが眩しさ感じるのを防止することができる。
【００７８】
（Ｂ）本実施形態では、輝度比較部１１ｃ、或いは変化量監視部１１ｈが輝度の急激な変化を検知する例として、輝度の低い映像から輝度の高い映像への変化を例として説明しているが、輝度の高い映像から輝度の低い映像への急激な変化を検知した際に、輝度調整部を用いて輝度を上げる処理を行う形態であってもよい。これにより、明るい映像に慣れたユーザが暗い映像を見づらくなるという問題を防止することができる。
【００７９】
（Ｃ）本実施形態では、映像信号処理装置の一例としてハードディスクレコーダ１及びＨＤＤ内蔵テレビ２を例に挙げているが、これ以外の映像信号処理装置を用いて本発明を実施する形態でもよい。例えば、ＢＤプレーヤ、ＶＣＲ（Video Cassette Recorder）、ＤＶＤ／ＨＤＤ複合機、テレビジョン装置、液晶モニタ等を用いる形態であってもよい。
【００８０】
（Ｄ）本実施形態では、輝度補正処理に関わる各種機能部が、マイクロプロセッサ等の演算処理装置上でプログラムを実行することにより実現されているが、各種機能部が複数の回路により実現される形態でもよい。
【００８１】
（Ｅ）本実施形態では、輝度補正のための各機能部がハードディスクレコーダ１或いはＨＤＤ内蔵テレビ２の内部に備わっている構成を例として説明したが、これらの一部或いは全部がネットワークを介して接続された外部装置により実現される形態であってもよい。例えば輝度の取得処理を、表示装置の近傍に設置された光学センサーにより行う形態であってもよい。
【００８２】
（Ｆ）本実施形態では、映像再生部２１より映像信号を取得してその内容を解析することにより輝度の取得を行っているが、これ以外の方法、例えば表示装置が備えるバックライトの駆動電圧や発光量から輝度を取得する形態であってもよい。
【図面の簡単な説明】
【００８３】
【図１】は、本発明の第一の実施形態に係る映像信号処理装置が備える機能部の構成を示す機能ブロック図である。
【図２】は、本発明の第一の実施形態に係る映像信号処理装置を示す構成図である。
【図３】は、本発明の第一の実施形態に係る輝度補正処理の処理フローを示したフロー図である。
【図４】は、本発明の第二の実施形態に係る映像信号処理装置が備える機能部の構成を示す機能ブロック図である。
【図５】は、本発明の第二の実施形態に係る映像信号処理装置を示す構成図である。
【図６】は、本発明の第二の実施形態に係る輝度補正処理の処理フローを示したフロー図である。
【図７】は、本発明の第三の実施形態に係る映像信号処理装置が備える機能部の構成を示す機能ブロック図である。
【図８】は、本発明の第三の実施形態に係る輝度補正処理の処理フローを示したフロー図である。
【符号の説明】
【００８４】
１      ハードディスクレコーダ（映像信号処理装置）
２      ＨＤＤ内蔵テレビ（映像信号処理装置）
１１    制御部
１２    メモリ（記録部）
１１ａ  切替検知部（切替検知手段）
１１ｂ  輝度取得部（輝度取得手段）
１１ｃ  輝度比較部（輝度比較手段）
１１ｄ  輝度補正部（輝度補正手段）
１１ｅ  輝度設定部（輝度設定手段）
１１ｆ  発光量補正部（発光量補正手段）
１１ｇ  バックライト調光部（バックライト調光手段）
１１ｈ  変化量監視部（変化量監視手段）
２１    映像再生部（映像再生手段）
２４    ディスプレイ（表示装置）
【図１】
2009027550.tif 000003
【図２】
2009027550.tif 000004
【図３】
2009027550.tif 000005
【図４】
2009027550.tif 000006
【図５】
2009027550.tif 000007
【図６】
2009027550.tif 000008
【図７】
2009027550.tif 000009
【図８】
2009027550.tif 000010